(57)【要約】【課題】  ファクシミリ着信時、誰からのファクシミリが着信したのかはっきりわかる着信通知を行えると共に、電話着信時も同様の着信通知を行えるファクシミリ装置を提供する。【解決手段】  着信通知機能を備えたファクシミリ装置において、発信者番号と発信者名音声情報とを対応付けて記憶しておく記憶部２と、受信信号から発信者番号を抽出する発信者番号検出部４とを備え、発信者番号検出部４により抽出された発信者番号が記憶部２に記憶されているとき、主制御部１は発信者番号に対応付けられた発信者名音声情報などを記憶部２から読み出し、音声合成部５で、読み出した音声情報などから発信者名を含んだディジタル音声メッセージを合成させ、音声出力部６により音声出力させる構成にした。【選択図】  図１
2005287083.tif 000002
【特許請求の範囲】
【請求項１】
データ受信と電話受信とを選択的に実行する通信装置において、
発信者識別符号が登録されている発信者テーブルと、
データ受信と電話受信とにそれぞれ対応付けて異なる着信通知方法が設定される通知方法設定テーブルと、
回線より受信した受信信号から発信者識別符号を抽出する発信者抽出手段と、
着信時、データ受信か電話受信かを判断するとともに、前記発信者抽出手段により抽出された発信者識別符号が前記発信者テーブルに登録されているか否かを判断し、これらの判断結果に基づいて前記通知方法設定テーブルを参照して着信通知のための着信通知方法を選択する制御手段とを備えたことを特徴とする通信装置。
【請求項２】
前記発信者識別符号には、発信者の電話番号が含まれることを特徴とする請求項１記載の通信装置。
【請求項３】
前記通知方法設定テーブルで設定される着信通知方法には、発信者の名称を音声出力する方法が含まれることを特徴とする請求項１または２記載の通信装置。
【請求項４】
発信者識別符号が前記発信者テーブルに登録されていると判断された場合には、発信者の名称を音声出力する方法を選択することを特徴とする請求項１乃至３いずれか一項に記載の通信装置。
【請求項５】
発信者識別符号が前記発信者テーブルに登録されていないと判断された場合には、所定の着信通知方法を選択することを特徴とする請求項１乃至３いずれか一項に記載の通信装置。
【請求項６】
発信者識別符号が前記発信者テーブルに登録されていると判断された場合には、発信者の名称を音声出力する方法を選択し、発信者識別符号が前記発信者テーブルに登録されていないと判断された場合には、所定の着信通知方法を選択することを特徴とする請求項１乃至５いずれか一項に記載の通信装置。
【請求項７】
前記所定の着信通知方法には、呼出音を用いた通知方法が含まれることを特徴とする請求項５または６記載の通信装置。
【発明の詳細な説明】
【技術分野】
【０００１】
本発明は着信時に着信通知を行う通信装置に係わり、特にファクシミリまたは電話着信時に発信者名を含んだ音声メッセージにより着信通知を行うことができるファクシミリ装置に関する。
【背景技術】
【０００２】
一般に、ファクシミリ装置においては、ファクシミリが着信しても利用者がファクシミリ装置設置場所に待機していない限り着信に気付かない。そのため、特定の相手からファクシミリが着信した場合はその旨を利用者に通知する着信通知機能を備えたファクシミリ装置が従来より提供されている。
例えば、特許文献１に示されたファクシミリ装置では、特定の相手先の端末番号を記憶させておき、その端末番号の相手先からファクシミリを受信すると、その旨を示す音声メッセージを再生させる。
また、特許文献２に示されたファクシミリ装置では、特定の相手先の端末番号またはＩＤコードを記憶させておき、その端末番号またはＩＤコードの相手先からファクシミリを受信すると、その旨を示す音声メッセージを再生させる。
また、特許文献３に示された通信装置では、相手側の識別情報を記憶させておき、その識別情報の相手側からファクシミリを受信すると、相手に応じて異なったメロディまたは音声を再生させてその旨を利用者に通知する。
【特許文献１】特開平３−１８１２７２号公報
【特許文献２】特開平４−２４２３７０号公報
【特許文献３】特開平５−２２５６５号公報
【発明の開示】
【発明が解決しようとする課題】
【０００３】
しかしながら、上記の特許文献１および特許文献２に示された従来の技術では、誰からの着信かを区別することができないという問題があるし、特許文献３に示された従来の技術では、それぞれのメロディまたは音声が誰に対応するのかを利用者が覚えておかねばならないという難しさがある。また、特許文献３に示された従来の技術では、電話機能付きの装置にこれを適用した場合、電話については誰からかかってきたのかわからない。
本発明の解決すべき課題は、上記のような従来の技術の問題を解決し、ファクシミリ着信時、誰からのファクシミリが着信したのか容易に且つ明確にわかる着信通知を行えるとともに、電話着信時も同様の着信通知を行えるファクシミリ装置を提供することにある。
【課題を解決するための手段】
【０００４】
本発明はかかる課題を解決するために、請求項１は、データ受信と電話受信とを選択的に実行する通信装置において、発信者識別符号が登録されている発信者テーブルと、データ受信と電話受信とにそれぞれ対応付けて異なる着信通知方法が設定される通知方法設定テーブルと、回線より受信した受信信号から発信者識別符号を抽出する発信者抽出手段と、着信時、データ受信か電話受信かを判断するとともに、前記発信者抽出手段により抽出された発信者識別符号が前記発信者テーブルに登録されているか否かを判断し、これらの判断結果に基づいて前記通知方法設定テーブルを参照して着信通知のための着信通知方法を選択する制御手段とを備えたことを特徴とする。
請求項２は、前記発信者識別符号には、発信者の電話番号が含まれることを特徴とする。
請求項３は、前記通知方法設定テーブルで設定される着信通知方法には、発信者の名称を音声出力する方法が含まれることを特徴とする。
請求項４は、発信者識別符号が前記発信者テーブルに登録されていると判断された場合には、発信者の名称を音声出力する方法を選択することを特徴とする。
請求項５は、発信者識別符号が前記発信者テーブルに登録されていないと判断された場合には、所定の着信通知方法を選択することを特徴とする。
請求項６は、発信者識別符号が前記発信者テーブルに登録されていると判断された場合には、発信者の名称を音声出力する方法を選択し、発信者識別符号が前記発信者テーブルに登録されていないと判断された場合には、所定の着信通知方法を選択することを特徴とする。
請求項７は、前記所定の着信通知方法には、呼出音を用いた通知方法が含まれることを特徴とする。
【発明の効果】
【０００５】
請求項１の発明によれば、着信時、データ受信か電話受信かを判断するとともに、発信者抽出手段により抽出された発信者識別符号が発信者テーブルに登録されているか否かを判断し、これらの判断結果に基づいて通知方法設定テーブルを参照して着信通知のための着信通知方法を選択するので、着信時、誰からの通信が着信したのか容易に且つ明確にわかる。
また、請求項２に記載の発明では、発信者識別符号には、発信者の電話番号が含まれるので、後で発信者に電話により確認することができる。
また、請求項３に記載の発明では、通知方法設定テーブルで設定される着信通知方法には、発信者の名称を音声出力する方法が含まれるので、電話着信時、誰からの電話が着信したのか容易に且つ明確にわかる。
また、請求項４に記載の発明では、発信者識別符号が発信者テーブルに登録されていると判断された場合には、発信者の名称を音声出力する方法を選択するので、電話着信時、誰からの電話が着信したのか容易に且つ明確にわかる。
また、請求項５に記載の発明では、発信者識別符号が発信者テーブルに登録されていないと判断された場合には、所定の着信通知方法を選択するので、登録されていなくとも電話着信時、誰からの電話が着信したのかを検索することができる。
また、請求項６に記載の発明では、発信者識別符号が発信者テーブルに登録されていると判断された場合には、発信者の名称を音声出力する方法を選択し、発信者識別符号が登録されていないと判断された場合には、所定の着信通知方法を選択するので、いずれにしても電話着信時、誰からの電話が着信したのか容易に且つ明確にわかる。
また、請求項７に記載の発明では、所定の着信通知方法には、呼出音を用いた通知方法が含まれるので、電話が着信したことを容易に判断することができる。
【発明を実施するための最良の形態】
【０００６】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は本発明の実施の形態のファクシミリ装置の構成を示すブロック図である。図示するように、このファクシミリ装置は、装置全体を制御・管理する主制御部１、発信者番号または発信者識別符号およびそれに対応付けられた発信者名などが記憶される記憶部２、網制御装置およびモデムを含みファクシミリ通信制御や電話接続制御などを行う通信制御部３、この通信制御部３を介して公衆回線より受信された受信信号から発信者番号または発信者識別符号を検出する発信者番号検出部４、文字列からディジタル音声情報を合成する音声合成部５、音声合成部５により合成されたディジタル音声情報からアナログ音声信号を生成し、スピーカに音声を出力したりする音声出力部６、テンキーおよびファンクションキーなどからなる操作部７などを備えている。なお、主制御部１および発信者番号検出部４は共通または個別のＣＰＵおよびプログラムを内蔵したＲＯＭなどにより実現される。また、上記発信者番号は端末番号（電話番号）でもよい。また、発信者識別符号は英数字などからなる。
【０００７】
次に、この実施の形態の動作について説明する。図２は本発明の第１の実施の形態の動作内容を示すフローチャートである。なお、この実施の形態では、図３に示すように、記憶部２には、操作部７により、発信者番号（または発信者識別符号）と発信者名（見やすくするために、図には、漢字などで示しているが、実際にはカタカナなどで登録されている）とが対応付けられた発信者テーブルが予め記憶されているものとする。まず、通信制御部３が公衆回線からファクシミリ信号を受信し、発信者番号（または発信者識別符号）が設定されている所定の信号を受信すると、通信制御部３はその受信信号を発信者番号検出部４に渡す。発信者番号検出部４は受信信号から発信者番号を抽出し（Ｓ１）、記憶部２の所定領域に記憶させる。続いて、主制御部１は、記憶部２内の発信者テーブルを検索し、上記所定領域に記憶された発信者番号が発信者テーブルに登録されているか否かをチェックする（Ｓ２）。そして、登録されていれば（Ｓ２でＹｅｓ）、主制御部１は、図４（ａ）に示すように、上記発信者番号（例えばＮ２）に対応付けられた発信者名文字列（例えば「ビーシャスズキ」）を取得し、記憶部２の所定領域に予め記憶しておいた文字列（例えば「サマカラファクシミリガトドイテオリマス」）を取得し（図４（ｂ）参照）、それらを図４（ｃ）のようにつなぎ合わせることにより着信通知情報としての文字列音声情報を作成し、音声合成部５に渡す。
音声合成部５内には、例えば濁音などを含む全ての仮名文字の個々のディジタル音声情報（例えばＰＣＭ音声情報）が記憶されており、上記文字列音声情報を取得すると、それを構成している個々の文字のディジタル音声情報を頭から順に取得することによりディジタル音声メッセージを合成する（Ｓ３）。そして、合成されたディジタル音声メッセージを頭から順に主制御部１に渡すと、主制御部１はそれを音声出力部６に渡す。音声出力部６ではディジタル音声メッセージがアナログ音声メッセージに変換され、音声出力部６内のスピーカから「Ｂ社鈴木様からファクシミリが届いております」というような着信通知が出力される（Ｓ４）。それに対して、ステップＳ２で、受信した発信者番号が登録されていないと判定されたならば（Ｓ２でＮｏ）、ファクシミリ着信を示す呼び出し音を音声出力部６内のスピーカから出力させるか、または音声も呼び出し音も出力させずにこの動作フローを抜ける（Ｓ５）。
【０００８】
ここで、図３および図４に示したような情報を登録する際の動作フローを図５に示しておく。このフローでは、まず、操作部７の液晶表示装置などに表示されたアイコンまたはメニューなどを用いて入力モードを選択し（Ｓ１１）、テンキーから発信者番号およびそれに対応付ける発信者名を入力する（Ｓ１２）。例えば発信者名「スズキ」は図６のようなテーブルに従って３３３８２２というように入力するわけである。同様にして、図４（ｂ）に示すような文字列も入力する（Ｓ１２）。続いて、主制御部１は文字コードとして取得した発信者番号と発信者名の対を記憶部２内の発信者テーブルに文字コードとして記憶し、図４（ｂ）に示すような文字列を記憶部２内の所定領域に文字コードとして記憶する（Ｓ１３）。以上のようにして、この実施の形態によれば、登録されている複数の発信者のいずれかからのファクシミリを着信すると、発信者名を明示した着信通知が音声で行われるので、利用者は誰からのファクシミリが届いたのか容易に且つ明確にわかる。
【０００９】
次に、この発明の第２の実施の形態について説明する。図７は本発明の第２の実施の形態の動作内容を示したフローチャートである。この実施の形態は、相手側が電話機であっても音声メッセージなどによる着信通知が可能でり、発信者番号抽出結果に従って、且つ、予め設定した着信通知方法に基づいて着信通知を行うことができるようにしたものである。例えば、ファクシミリ着信時、相手側が登録された発信者であれば音声メッセージで着信通知を行い、登録された発信者でなければ呼び出し音で着信通知を行うように設定しておくと、そのように着信通知が行われ、登録された発信者でなければ呼び出し音も音声メッセージも出力しないように設定しておけば、そのように処理される。つまり、図８（ａ）、（ｂ）に示すように、予め記憶部２内の通知法設定テーブルに着信通知方法を場合ごとに設定しておくのである。まず、着信時、通信制御部３において、ＣＮＧ信号が受信されたか否かを判定する（Ｓ２１）。そして、ＣＮＧ信号が受信された場合は（Ｓ２１でＹｅｓ）、相手側はファクシミリ装置であると判断し、前記のように、抽出された発信者番号が登録されているか否かを判定する。そして、登録されていれば図８に示した通知法設定テーブルの左上の欄を参照し、無鳴動（音声出力：０、呼び出し音：０）にするか、呼び出し音を出力するか、音声を出力するか判定する（Ｓ２３）。こうして、図８の例では、音声出力が選択され、前記のようにして合成した音声が出力される（Ｓ２５）。それに対して、発信者番号が登録されていなければ通知法設定テーブルの左下の欄を参照し、図８（ａ）の例であれば呼び出し音を出力させる（Ｓ２６）。また、図８（ｂ）の例であれば無鳴動にする（Ｓ２４）。
一方、ステップＳ２１においてＣＮＧ信号が検出されないと（Ｓ２１でＮｏ）、主制御部１は相手側が電話機であると判定し、発信者番号検出部４において相手側電話機から送られてくるかもしれないＤＴＭＦ信号を監視・検出する（Ｓ２７）。つまり、相手電話機の発信者（通話者）は、もしも発信者名を含んだ着信通知を望むならば、ファクシミリ通信の場合と同様な発信者番号をプッシュボタンにより入力するのである。そして、着信通知方法を呼び出し音にするか合成音声にするかの判断を行い（Ｓ２８）、ＤＴＭＦ信号で送られてきた発信者番号が検出された場合、主制御部１は通知法設定テーブルの右上の欄を参照し、図８の例であれば合成された音声を出力させる（Ｓ２５）。また、発信者番号が検出されなければ、または検出された発信者番号が登録されていなければ呼び出し音を出力させる（Ｓ２６）。
【００１０】
このように、第２の実施の形態によれば、ファクシミリ受信の場合と同一の発信者テーブルを用いて必要であれば電話受信の場合も発信者名を含んだ着信通知を行うことができる。また、ファクシミリ受信、電話受信を問わず、発信者番号検出結果に対する対応を予め設定したとおりに行うことができる。
なお、以上の説明において、音声情報は文字列（テキスト）で記憶されているものとしたが、マイクから入力したアナログ音声信号を例えばＰＣＭ化して記憶させてもよい。あるいは、発信者名の部分だけを文字列で記憶し音声合成手段により合成した音声を出力し、他の部分をマイクから入力したアナログ音声信号をＰＣＭ化して記憶させてもよい。
【図面の簡単な説明】
【００１１】
【図１】本発明の実施の形態のファクシミリ装置の構成を示すブロック図。
【図２】本発明の第１の実施の形態のファクシミリ装置の動作内容を示すフローチャート。
【図３】本発明の第１の実施の形態のファクシミリ装置の要部のデータ構成図。
【図４】（ａ）（ｂ）及び（ｃ）は本発明の第１の実施の形態のファクシミリ装置の要部の説明図。
【図５】本発明の第１の実施の形態のファクシミリ装置の他の動作内容を示すフローチャート。
【図６】本発明の第１の実施の形態のファクシミリ装置の要部の他の説明図。
【図７】本発明の第２の実施の形態のファクシミリ装置の動作内容を示すフローチャート。
【図８】（ａ）及び（ｂ）は本発明の第２の実施の形態のファクシミリ装置の要部のデータ構成図。
【符号の説明】
【００１２】
１  主制御部（着信通知選択手段）、２  記憶部（発信者記憶手段）、３  通信制御部、４  発信者番号検出部（発信者抽出手段）、５  音声合成部、６  音声出力部（音声出力手段）、７  操作部。
【図１】
2005287083.tif 000003
【図２】
2005287083.tif 000004
【図３】
2005287083.tif 000005
【図４】
2005287083.tif 000006
【図５】
2005287083.tif 000007
【図６】
2005287083.tif 000008
【図７】
2005287083.tif 000009
【図８】
2005287083.tif 000010